(57)【要約】【課題】スロープの設置作業、移設作業を簡素化し且つ撤去解体時の廃材発生量を減量するとともに、高い耐荷重を有し、傾斜角及びレベル差を任意設定し得る仮設スロープ装置を提供する。【解決手段】高低差がある床面(HF,LF)に斜路を形成する仮設スロープ装置(1)は、左右の桁材(2)と、桁材間に架設された端部フレーム(3,4)及び横架材(5)と、横架材上に敷設された足場板(8)と、低床側の端部フレームの外側に取付けられたステップ部(7)とを有する。ステップ部は、端部フレームの下側に突出するローラ(74)を有し、ローラは、低床側の床面(LF)に転動可能に支持される。【選択図】図６
2009263916.tif 000002
【特許請求の範囲】
【請求項１】
高低差を有する床部分に配置され、高床側の床面と低床側の床面との間に斜路を形成する仮設スロープ装置において、
左右の桁材と、左右の桁材を架橋するように桁材間に架設した端部フレーム及び横架材と、横架材上に敷設された足場板と、低床側の端部フレームの外側に取付けられたステップ部とを有し、
前記ステップ部は、低床側の端部フレームの下側に突出するローラを有し、該ローラは、低床側の床面に転動可能に支持されることを特徴する仮設スロープ装置。
【請求項２】
高床側の床面の構成部材に係止可能な係止具を高床側の端部に備えたことを特徴とする請求項１に記載の仮設スロープ装置。
【請求項３】
前記ステップ部は、低床側の端部フレームの上面から斜め下方且つ低床側の床に向かって延びる傾斜板と、該傾斜板の先端縁と一体化した円形断面の縁部材とを有し、前記傾斜板は、前記縁部材の外周面に接線方向に連接することを特徴とする請求項１又は２に記載の仮設スロープ装置。
【請求項４】
複数の前記横架材が桁方向に所定間隔を隔てて配置され、桁方向中央部に位置する前記横架材は、桁方向端部領域に位置する横架材よりも相対的に高い位置に配置されることを特徴とする請求項１乃至３のいずれか１項に記載の仮設スロープ装置。
【請求項５】
前記横架材の端部を支承する支受具が前記桁材の内側面に配列され、該支受具は相対的な高低差を有し、前記横架材の相対的な高低差は、前記支受具の高低差によって付けられることを特徴とする請求項４に記載の仮設スロープ装置。
【請求項６】
前記桁材の所定位置から上方に突出する柱状の手摺支持部材と、該手摺支持部材の下端に一体的に形成された脚皿とを有し、該脚皿は、前記手摺支持部材の上端部を受入れるように下面が開口した断面を有することを特徴とする請求項１乃至５のいずれか１項に記載の仮設スロープ装置。
【請求項７】
前記手摺支持部材を支持するブラケットが前記桁材の外側面に突設され、前記脚皿は、前記桁材の下方に突出するように前記ブラケットの下側に固定されることを特徴とする請求項６に記載の仮設スロープ装置。
【請求項８】
前記端部フレームは、前記足場板の端部を受入れ可能に枠体内方に開口した断面を有し、隣り合う前記足場板の幅方向位置を規制する仕切板が前記端部フレームの開口領域に配設されることを特徴とする請求項１乃至７のいずれか１項に記載の仮設スロープ装置。
【請求項９】
前記桁材は、中央部で分割可能な角形断面の金属管からなり、該金属管の分割部には、各金属管の端部に跨がる補強材が内装されたことを特徴とする請求項１乃至８のいずれか１項に記載の仮設スロープ装置。
【発明の詳細な説明】
【技術分野】
【０００１】
本発明は、仮設スロープ装置に関するものであり、より詳細には、建築工事・土木工事の仮設足場等に配設される仮設スロープ装置に関するものである。
【背景技術】
【０００２】
建築・土木工事の工事現場に仮設される枠組足場及び単管足場においては、作業通路の高低差、昇降設備と作業通路とのレベル差等によって床に段差が発生する。このような段差を解消すべく、仮設スロープが適所に配設される。この種のスロープは、単管パイプ、緊締具(クランプ、番線等)、足場板、桟木等によって組立てられる。仮設スロープは、上下方向にずれた床面を斜めに連絡する斜路を形成し、一輪車、手押し車、資材台車等の運搬台車の通行や、作業者の歩行等を可能にする。
【０００３】
また、不使用時にコンパクトに格納可能なスライド式、引出し式又は折り畳み式のスロープ装置が、特開平９−４１６０５号公報、特開平９−４１６０６号公報、特開２０００−２２０３１１号公報に開示されている。これらの公報に記載されたスロープ装置によれば、スライド式、引出し式又は折り畳み式の可動部材を使用時に繰出し、伸長し又は拡開して斜面形成部材を展開し、演劇用の舞台、ステージ等の段差部に斜路を形成することができる。
【特許文献１】特開平９−４１６０５号公報
【特許文献２】特開平９−４１６０６号公報
【特許文献３】特開２０００−２２０３１１号公報
【発明の開示】
【発明が解決しようとする課題】
【０００４】
建築・土木工事の枠組足場、単管足場等に設置される従来の仮設スロープは、緊締具(クランプ、番線等)によって単管パイプ、足場板及び桟木等を組付けた構成のものであることから、スロープ設置時、スロープ移設時等に煩雑な組付け作業を要するのみならず、スロープの撤去・解体時に桟木、緊締具等の廃材が比較的多量に発生する。
【０００５】
他方、上記特許文献１〜３に開示されたスライド式、引出し式又は折り畳み式のスロープ装置は、使用時に可動部材を繰出し、伸長し又は拡開して斜路部材を展開することにより、スロープを舞台等に形成することができる。従って、仮にこのようなスロープ装置を建設現場の仮設足場等に転用することが可能であるとすれば、スロープ設置や、スロープ移設の作業を大幅に簡素化し得ると考えられる。
【０００６】
しかし、上記特許文献１〜３に開示されたスロープ装置は、分割された斜路部材、支持部材、脚部材等の展開を可能にすべく、予め動作設定された機械的連動機構を備えるので、スロープの傾斜角、レベル差及び各部寸法は、限られた範囲内の値に設定し得るにすぎない。しかも、機械的な連動機構等の耐荷重が比較的低いために、斜路の耐荷重は、比較的低い値に制限されてしまう。
【０００７】
これに対し、建築・土木工事の枠組足場、単管足場等に設置される仮設スロープは、比較的高い耐荷重を要し、しかも、任意の傾斜角及びレベル差に適応しなければならない。従って、耐荷重、寸法適応性等の観点より、上記特許文献１〜３に開示されたようなスライド式、引出し式又は折り畳み式のスロープ装置は、比較的苛酷な条件で使用される建設現場等のスロープとしては、使用し難い事情がある。
【０００８】
本発明は、このような事情に鑑みてなされたものであり、その目的とするところは、スロープの設置作業、移設作業を簡素化し且つ撤去解体時の廃材発生量を減量するとともに、建築・土木工事用の枠組足場、単管足場等に設置可能な高い耐荷重と、枠組足場、単管足場等に適応可能な傾斜角及びレベル差の任意性とを有する仮設スロープ装置を提供することにある。
【課題を解決するための手段】
【０００９】
上記目的を達成すべく、本発明は、高低差を有する床部分に配置され、高床側の床面と低床側の床面との間に斜路を形成する仮設スロープ装置において、
左右の桁材と、左右の桁材を架橋するように桁材間に架設した端部フレーム及び横架材と、横架材上に敷設された足場板と、低床側の端部フレームの外側に取付けられたステップ部とを有し、
前記ステップ部は、低床側の端部フレームの下側に突出するローラを有し、該ローラは、低床側の床面に転動可能に支持されることを特徴する仮設スロープ装置を提供する。
【００１０】
本発明の上記構成によれば、仮設スロープ装置は、桁材、端部フレーム及び横架材によって形成される枠体に足場板を敷設した構成を有し、枠体の低床側端部に設けられたステップ部は、低床側の端部フレームの下側に突出して低床側の床面に転動可能に接地する。ローラは低床側床面に対して回転するので、枠体を任意の傾斜角度に設置することができる。
【００１１】
高低差を有する仮設足場等に本発明の仮設スロープ装置を設置するには、仮設スロープ装置の高床側端部フレームを高床側の床に係止し、ステップ部を低床側の床面に接地させれば良い。従って、本発明の仮設スロープ装置によれば、スロープの設置作業、移設作業等は、緊締具によって単管パイプ、足場板及び桟木等を組付ける従来構成のスロープ構造体に比べ、大幅に簡素化する。また、仮設スロープ装置の撤去解体時には、廃材がほとんど発生しないので、実務的に極めて有利である。更には、仮設スロープ装置は、桁材、端部フレーム及び横架材からなる枠体によって足場板を支持する構造を有するので、建築・土木工事用の枠組足場、単管足場等に設置可能な高い耐荷重が比較的容易に得られる。また、前述の如く、ローラが低床側床面に対して回転するので、枠組足場、単管足場等に適応可能なスロープ傾斜角及びレベル差を任意に設定することができる。ローラは又、仮設スロープ装置の移動時に生じ得る床面擦過又は床面損傷等を防止する有効な手段でもある。
【発明の効果】
【００１２】
本発明の仮設スロープ装置によれば、スロープの設置作業、移設作業を簡素化し且つ撤去解体時の廃材発生を防止し又は抑制することができる。また、本発明の仮設スロープ装置によれば、建築・土木工事用の枠組足場、単管足場等に設置可能な高い耐荷重を確保するとともに、枠組足場、単管足場等に適応可能な傾斜角及びレベル差の任意性を達成することができる。
【発明を実施するための最良の形態】
【００１３】
本発明の好適な実施形態によれば、仮設スロープ装置は、高床側の床面の構成部材に係止可能な係止具を高床側の端部に備える。好ましくは、上記ステップ部は、低床側の端部フレームの上面から斜め下方且つ低床側の床に向かって延びる傾斜板と、傾斜板の先端縁と一体化した円形断面の縁部材とを有し、傾斜板は、縁部材の外周面に接線方向に連接する。このようなステップ部によれば、一輪車等の搬送台車は、低床側の床面から仮設スロープ装置の斜路にスムーズに進入することができる。
【００１４】
本発明の更に好適な実施形態によれば、複数の横架材が桁方向に所定間隔を隔てて配置され、桁方向中央部に位置する横架材は、桁方向端部領域に位置する横架材よりも相対的に高い位置に配置される。好ましくは、横架材の端部を支承する支受具が桁材の内側面に配列される。支受具は相対的な高低差を有し、横架材の相対的な高低差は支受具の高低差によって付けられる。仮設スロープ装置の全長は、普通は、３〜５ｍ程度の支点間寸法（例えば、４ｍ）に設定された単純梁形態の支持構造を有することから、自重等の荷重によって中央部が下方に撓むと考えられるので、横架材の高低差によって中央部の足場板を上方に若干隆起させることが望ましい。斜路の路面中央部には、上方隆起によるムクリが発生するが、これは、使用時の桁材中央部の下方変位によって打ち消される。従って、横架材の高低差により、使用時の斜路に生じ得る不陸等の発生を未然に防止することができる。
【００１５】
本発明の他の好適な実施形態によれば、仮設スロープ装置は、桁材の所定位置から上方に突出する柱状の手摺支持部材と、手摺支持部材の下端に一体的に形成された脚皿とを有する。脚皿は、手摺支持部材の上端部を受入れるように下面が開口した断面を有する。手摺支持部材を支持するブラケットが桁材の外側面に突設され、脚皿は、桁材の下方に突出するようにブラケットの下側に配置される。多数の枠体を上下に積み重ねて収納・保管する際、脚皿の下面開口領域によって下側の枠体の手摺支持部材の先端部を受入れ、上下に積層された枠体の位置決め又は荷崩れ防止を図るとともに、積み重ねた枠体の間にフォークリフトの爪部を挿入可能な隙間を確保することができる。脚皿は又、水平な床面に置かれた枠体の下面を床面等から離間させ、枠体移動作業等の作業性を改善する。脚皿による枠体と床面等との離間は、枠体の腐食防止等を図る上でも有利である。
【００１６】
本発明の更に他の好適な実施形態によれば、端部フレームは、足場板の端部を受入れ可能に枠体内方に開口した断面を有し、隣り合う足場板の幅方向位置を規制する仕切板が端部フレームの開口領域に配設される。仕切板は、隣り合う足場板が離間して足場板の間に大きな隙間が発生するのを防止する。好ましくは、桁材は、中央部で分割可能な角形断面の金属管からなり、金属管の分割部には、各金属管の端部に跨がる補強材が内装される。このような桁材の分割により、枠体の保管・搬送等の作業性を改善することができる。
【実施例１】
【００１７】
以下、添付図面を参照して、本発明の好適な実施例について詳細に説明する。
【００１８】
図１（Ａ）、図１（Ｂ）、図１（Ｃ）及び図１（Ｄ）は、本発明の仮設スロープ装置の実施例を示す平面図、正面図（低床側の立面図）、背面図（高床側の立面図）及び部分拡大平面図である。図２（Ａ）は、図１に示す仮設スロープ装置の側面図であり、図２（Ｂ）は、図１のＩ−Ｉ線断面図である。
【００１９】
仮設スロープ装置１は、長手方向に平行に延びる左右の桁材２と、端部フレームを構成する妻側フレーム３、４と、幅方向に平行に延びる複数の横架材５と、高床側に配置された左右のフック部６と、低床側に配置されたステップ部７と、桁方向に敷設された足場板８と、桁材２に取付けられた左右の手摺９とから構成される。左右の桁材２は、約４ｍの全長を有し、約７０ｃｍ〜１ｍ程度の相互間隔を隔てて配置される。横架材５の端部を支承する支受具２１が、所定間隔（本例では約１ｍ間隔）を隔てて桁材２の内側面に配列される。横架材５の両端部が支受具２１に支承される。図１（Ａ）に示す如く、桁材２、妻側フレーム３、４及び横架材５は、足場板８を敷設可能な方形骨組み（枠体）を形成する。
【００２０】
各桁材２は、図１（Ｄ）図に示すように中央部で接続された２本の角形鋼管２ａ、２ｂからなる。鋼管２ａ、２ｂの接続部には、鋼管２ａ、２ｂに跨がって延びる補強材２２が内装される。鋼管２ａ、２ｂは、鋼管２及び補強材２２に挿通された係止ピン２３によって相互連結される。手摺９の取付け部を構成する鋼製ブラケット２４が、桁材２の外側面に所定間隔を隔てて配置される。なお、係止ピン２３は、チェーン(又はワイヤー等)２９によってブラケット２４に係留される。
【００２１】
図３（Ａ）及び図３（Ｂ）は、手摺９及び横架材５の支持構造を示す断面図である。図４（Ａ）及び図４（Ｂ）は、妻側フレーム４、フック部６及び支受具２１の構成を示す断面図である。
【００２２】
図３（Ａ）に示すように、ブラケット２４は、桁材２に溶接した上下のフランジ部２４ｂと、上下のフランジ部２４ｂを連結する垂直ウェブ部２４ａとから構成される。円形断面の鋼製垂直管２５が上下のフランジ部２４ｂを貫通してブラケット２４から上方に突出する。垂直管２５の下端には、鋼製脚皿２６が一体的に連結される。脚皿２６は、溶接等の固着手段によってブラケット２４に一体的に接合される。
【００２３】
垂直管２５は、手摺９の手摺支柱９１を支持するためのものであり、図３（Ｂ）に示す如く、手摺支柱９１の下端開口に挿入される。手摺支柱９１は、係止ピン９２によって垂直管２５に係止される。ブラケット２４、垂直管２５、脚皿２６及び手摺支柱９１は、図２に示すように、桁材２の両端部及び中央部に配置され、手摺部材９３、９４が手摺支柱９１に係止される。
【００２４】
図３（Ａ）及び図４（Ａ）には、支受具２１の構造が示されている。支受具２１は、上方に開口した溝形断面の鋼製部材からなり、両側の側板には、頂部開口形の凹所２２が形成される。横架材５は、両端部に水平ピン５１を貫通せしめた角形鋼管からなる。ピン５１を凹所２２内に挿入しながら横架材５の端部を支受具２１の底壁面に静置又は載置することにより、図３（Ｂ）及び図４（Ｂ）に示す如く横架材５を左右の桁材２の間に架設することができる。図３及び図４に示す如く、足場板８が横架材５上に敷設される。桁材２、妻側フレーム３、４及び足場板８の上面は、実質的に同一のレベルに位置する。横架材５は、支受具２１に対する水平ピン５１の係合と、足場板８の荷重とによって支受具２１上に拘束される。足場板８として、単管足場等で普通に使用されている足場板（例えば、鋼製又はアルミニウム合金製足場板等の金属製足場板、合板製又は杉板製足場板等の木製足場板）を使用し得る。
【００２５】
図４には、桁材２と、妻側フレーム４との接合部の構成が示されている。フック部６は、桁材２の端部から一体的に延びる垂直な鋼板からなり、全体的に鉤形形態を有する。下方に開口した鉤形開口の半径ｒは、直径４２．７mm及び直径４８．６mmの鋼管（枠組足場用鋼管及び単管足場用鋼管）の双方に適合可能な寸法に設定される。フック部６の基部は、妻側フレーム４の縦スリット（図示せず）を貫通する。妻側フレーム４のボルト４１がフック部６の側面に係合し、フック部６と妻側フレーム４とを一体的に連結する。ボルト４１は、ボルト４１の脱落を防止するスプリングピン等（図示せず）を有する。
【００２６】
図５（Ａ）は、桁材２と妻側フレーム３との接合部の構成を示す断面図であり、図５（Ｂ）は、ステップ部７の平面図である。
【００２７】
妻側フレーム４と同様、妻側フレーム３のボルト３１が桁材２の側面に係合し、桁材２と妻側フレーム３とを一体的に連結する。ボルト３１も又、ボルト３１の脱落を防止するスプリングピン（図示せず）を有する。妻側フレーム３の外側面（妻面）には、前述のステップ部７が突設される。ステップ部７は、妻側フレーム３の上面（上面レベルＴＬ）に対して１５〜４５度の範囲内の所定角度αをなして下方に傾斜した金属製傾斜板７１と、傾斜板７１の先端部に取付けられた真円形断面の金属製管体７２と、妻側フレーム３に固定された複数の金属製ブラケット７３と、傾斜板７１の両側の縁部分に配設された左右一対のローラ７４とから構成される。金属製ブラケット７３は、妻側フレーム３から外方に一体的に延びる垂直な金属板からなり、傾斜板７１及び管体７２を支持する。傾斜板７１の上面は、管体７２の接線方向に管体７２の外周面に連接する。ローラ７４を遊動回転可能に支承する水平軸７５がローラ７４を貫通する。水平軸７５の両端部はブラケット７３に固定される。ローラ７４の下部は、妻側フレーム３の下面（下面レベルＢＬ）の下方に突出する。管体７２は、楕円形断面又は長円形断面を有する管であっても良く、また、中実部材であっても良い。ローラ７４として、樹脂製又はゴム製のローラ部材、タイヤ部材、キャスター部材等を好適に使用し得る。所望により、金属製又はセラミック製のローラ部材等をローラ７４として使用しても良い。
【００２８】
図２（Ｂ）には、桁材２に配列された支受具２１の相対位置が示されている。支受具２１のレベルＬ１、Ｌ２、Ｌ３は、妻側フレーム３、４の下面レベルＢＬに対する相対的レベルとして示されている。妻側フレーム３、４の近傍に配置された支受具２１のレベルＬ１が最も低く、桁材２の中央部に配置された支受具２１のレベルＬ３が最も高く設定されており、これらの支受具２１の間の中間領域に位置する支受具２１のレベルＬ２は、Ｌ１及びＬ２の間の中間値に設定される。従って、支受具２１上に敷設された足場板８が形成する床面は、図２（Ａ）に破線で示す如く、中央部において上方に若干隆起する。
【００２９】
足場板８の端部は、図４（Ｂ）及び図５（Ａ）に示す如く、妻側フレーム３、４内に挿入される。妻側フレーム３、４は、枠体内方に開口したチャンネル形鋼材又は溝形鋼材からなり、足場板８の端部をチャネル内又は溝内に受入れる。労働安全衛生法の労働安全衛生規則によれば、足場等の床材の隙間は３cm以下に制限される。図１（Ａ）に示す如く、本実施例の仮設スロープ装置１では、足場板８は３列に配列されるが、妻側フレーム３、４は、隣接する足場板８の間に大きな隙間が形成されるのを防止すべく、各列の足場板８の位置を規制し又は拘束する仕切板３２、４２を備える。
【００３０】
図６は、仮設スロープ装置１の使用状態を例示する側面図である。
【００３１】
図６には、枠組足場又は単管足場等の床ＬＦ、ＨＦが概略的に示されている。仮設スロープ装置１は、相対的に低い床レベルの床ＬＦと、相対的に高い床レベルの床ＨＦとの間に歩行用斜路を形成すべく、床ＬＦ、ＨＦに跨がって配置される。フック部６の鉤形部分は、床ＨＦの足場鋼管１１に係止される。ステップ部７のローラ７４は、床ＬＦの上面に転動可能に接触し、床ＬＦに支持される。仮設スロープ装置１の荷重は、フック部６及びローラ７４を介して床ＨＦ、ＬＦに伝達し、床ＨＦ、ＬＦの支持力によって支持される。なお、床ＬＦ、ＨＦの一方又は双方は、例えば、施工中の建築構造物の躯体又はベランダ等の床、地面、人工地盤、車両の荷台等であっても良い。
【００３２】
桁材２は、フック部６及びローラ７４に支承された単純梁形態の構造を有するので、桁材２の中央部には、矢印Ｇで示す方向の撓みが僅かに発生し、桁材２は、全体的に下方に僅かに湾曲する。相対的に高い位置Ｌ３（図２（Ｂ））に位置する中央部の支受具２１が比較的大きく下方に変位し、中間領域の支受具２１（高さＬ２）が下方に若干変位する。この結果、足場板８の床面中央部に形成された床面の隆起（図２（Ａ））は解消し、隆起がない平面的斜路が足場板８によって形成される。
【００３３】
図７は、床ＨＦ、ＬＦの高低差と仮設スロープ装置１の傾斜との関係を示す断面図である。
【００３４】
床ＨＦ、ＬＦの高低差がΔＬ１、ΔＬ２、ΔＬ３に順次拡大すると、仮設スロープ装置１の傾斜角はθ１、θ２、θ３に拡大する。フック部６は、足場鋼管１１廻りに回転するので、傾斜角の変化（角度θ１、θ２、θ３）に適応する。他方、ステップ部７のローラ７４は、床ＬＦの上面を転動し、傾斜角の変化（角度θ１、θ２、θ３）に追随する。ステップ部７の傾斜板７１及び管体７２は、足場板８と床ＬＦとの間に段差が形成されるのを防止する。ステップ部７の先端部には、管体７２の外周面が露出し、傾斜板７１の上面は、管体７２の接線方向に延びるように管体７２の外周面に連接するので、一輪車等の搬送台車は、段差移動時の衝撃を受けることなく、床ＬＦから足場板８上の斜路にスムーズに移行することができる。
【００３５】
また、仮設スロープ装置１は、図７に示す傾斜姿勢で移動させることができる。作業者は、手摺９を桁材２の垂直管２５から取外し、床ＨＦで示すような高さにフック部６の側の端部を持上げて仮設スロープ装置１を全体的に傾斜させ、床面に接地したローラ７４を転動させながら仮設スロープ装置１を矢印Ｍの方向に移動させれば良い。仮設スロープ装置１の移動に伴う床面擦過又は床面損傷等は、ローラ７４の使用によって効果的に防止することができる。
【００３６】
図８は、仮設スロープ装置１の収納形態を示す立面図である。
【００３７】
仮設スロープ装置１は、手摺９を桁材２の垂直管２５から取外した状態で図８に示す如く積み重ねることができるので、コンパクトに収納又は保管することができる。脚皿２６の下面開口領域は、垂直管２５の先端部を受入れ、上下に積層された仮設スロープ装置１の位置決め手段又は荷崩れ防止手段として使用されるとともに、積み重ねた仮設スロープ装置１の間にフォークリフトの爪部を挿入可能な隙間Ｅを確保するスペーサ手段を構成する。仮設スロープ装置１は、所望により、桁材２を中央部等で分離した後に積み重ねることができるように構成しても良い。
【００３８】
以上、本発明の好適な実施例について詳細に説明したが、本発明は上記実施例に限定されるものではなく、特許請求の範囲に記載された本発明の範囲内で種々の変形又は変更が可能である。
【００３９】
例えば、上記実施例では、桁材２を中央部で分割しているが、桁材２を分割せず、或いは、桁材２を三分割以上に分割しても良い。
【００４０】
また、複数の仮設スロープ装置１を並列に配置しても良い。
【００４１】
所望により、図６に破線で例示するように、滑止め用の桟木１２を足場８上に取付けても良い。
【００４２】
更には、上記実施例では、ステップ部７の幅は、枠体の幅よりも小さい寸法に設定されているが、ステップ部７の幅を枠体の幅と同等の寸法に拡大しても良い。
【００４３】
また、上記実施例では、左右一対のローラ７４がステップ部７に配設されているが、３つ以上のローラ、或いは、細長い単一のローラをステップ部７に配設しても良い。
【産業上の利用可能性】
【００４４】
本発明の仮設スロープ装置は、建築工事・土木工事の仮設足場等に配設され、作業通路の段差や、昇降設備と作業通路との間に形成される段差を解消する斜路を形成するのに主として使用される。本発明の仮設スロープ装置は、搬送台車、車椅子等の通路を過渡的に形成すべく、各種イベント会場の仮設構造物、舞台の床構造体、医療・福祉施設の過渡的な仮設構造体等に設置しても良い。
【図面の簡単な説明】
【００４５】
【図１】本発明の仮設スロープ装置の実施例を示す平面図、正面図、背面図及び部分拡大平面図である。
【図２】図１に示す仮設スロープ装置の側面図及びＩ−Ｉ線断面図である。
【図３】手摺、横架材及び足場板の支持構造を示す断面図である。
【図４】高床側の妻側フレーム廻りの構造を示す断面図である。
【図５】低床側の妻側フレーム廻りの構造を示す断面図である。
【図６】仮設スロープ装置の使用状態を例示する側面図である。
【図７】床の高低差と仮設スロープ装置の傾斜との関係を示す断面図である。
【図８】仮設スロープ装置の収納状態を示す立面図である。
【符号の説明】
【００４６】
１：仮設スロープ装置
２：桁材
３：妻側フレーム（低床側）
４：妻側フレーム（高床側）
５：横架材
６：フック部
７：ステップ部
８：足場板
９：手摺
７１：傾斜板
７２：管体
７４：ローラ
ＬＦ：床（低床側）
ＨＦ：床（高床側）
【図１】
2009263916.tif 000003
【図２】
2009263916.tif 000004
【図３】
2009263916.tif 000005
【図４】
2009263916.tif 000006
【図５】
2009263916.tif 000007
【図６】
2009263916.tif 000008
【図７】
2009263916.tif 000009
【図８】
2009263916.tif 000010